(57)【要約】プリコーディング粒度値を示す方法。方法は、アクセスノードが、ダウンリンク制御情報内にプリコーディング粒度値を動的に信号伝達することと、上層信号伝達を介してプリコーディング粒度値を半静的に信号伝達することと、アクセスノードが別の目的のために伝送する少なくとも１つのパラメータとのリンクを介してプリコーディング粒度値を黙示的に信号伝達することとのうちの少なくとも１つを行うことを含む。一実施形態において、プリコーディング粒度値が、ＤＣＩにおいて動的に信号伝達される場合、ＤＣＩにおける少なくとも１ビットの第１の値は、第１のプリコーディング粒度値を示し、ＤＣＩにおける少なくとも１ビットの第２の値は、第２のプリコーディング粒度値を示す。【選択図】図４
2013530565.tif 000002
【特許請求の範囲】
【請求項１】
プリコーディング粒度値を示す方法であって、
アクセスノードが、
ダウンリンク制御情報（ＤＣＩ）において前記プリコーディング粒度値を動的に信号伝達することと、
上層信号伝達を介して前記プリコーディング粒度値を半静的に信号伝達することと、
前記アクセスノードが別の目的のために伝送する少なくとも１つのパラメータとのリンクを介して前記プリコーディング粒度値を黙示的に信号伝達することと
のうちの少なくとも１つを実施することを含む、方法
【請求項２】
前記プリコーディング粒度値が、前記ＤＣＩにおいて動的に信号伝達される場合、前記ＤＣＩにおける少なくとも１ビットの第１の値は、第１のプリコーディング粒度値を示し、前記ＤＣＩにおける前記少なくとも１ビットの第２の値は、第２のプリコーディング粒度値を示す、請求項１に記載の方法。
【請求項３】
前記プリコーディング粒度値が、上層信号伝達を介して半静的に信号伝達される場合、前記上層信号伝達は、
無線リソース制御信号伝達と、
媒体アクセス制御（ＭＡＣ）制御要素と
のうちの少なくとも１つである、請求項１に記載の方法。
【請求項４】
黙示的信号伝達が使用される場合、前記アクセスノードが別の目的のために伝送する少なくとも１つのパラメータは、
フィードバックモードと、
伝送モードと、
伝送ランクと、
リソース配分サイズと、
周期的冗長検査（ＣＲＣ）のスクランブリングステータスと、
前記リソース配分サイズのパリティと
のうちの少なくとも１つである、請求項１に記載の方法。
【請求項５】
前記パラメータは、前記伝送モードであり、
前記伝送モードが閉ループプリコーディングである場合、前記アクセスノードは、複数の異なるプリコーディング粒度値を信号伝達し、
前記伝送モードが開ループプリコーディングである場合、前記アクセスノードは、１リソースブロックまたは固定数リソースブロックのプリコーディング粒度値を信号伝達する、
請求項４に記載の方法。
【請求項６】
前記パラメータは、前記伝送モードであり、
前記アクセスノードが、ユーザ機器（ＵＥ）が閾値を下回る速度で移動していると決定する場合、前記アクセスノードは、複数の異なるプリコーディング粒度値を前記ＵＥに信号伝達して、閉ループプリコーディング伝送モードを使用し、
前記アクセスノードが、前記ＵＥが前記閾値を上回る速度で移動していると決定する場合、前記アクセスノードは、１リソースブロックまたは固定数リソースブロックのプリコーディング粒度値を前記ＵＥに信号伝達して、開ループプリコーディング伝送モードを使用する、
請求項４に記載の方法。
【請求項７】
前記パラメータは、前記伝送ランクであり、
前記伝送ランクが閾値を下回る場合、プリコーディング粒度は有効にされず、
前記伝送ランクが閾値を上回る場合、プリコーディング粒度は、所定のものおよび明示的に信号伝達されたもののうちの少なくとも１つである値によって有効にされる、
請求項４に記載の方法。
【請求項８】
無線電気通信システムにおけるアクセスノードであって、
前記アクセスノードは、プロセッサを含み、前記プロセッサは、
ダウンリンク制御情報（ＤＣＩ）においてプリコーディング粒度値を動的に信号伝達することと、
上層信号伝達を介して前記プリコーディング粒度値を半静的に信号伝達することと、
前記アクセスノードが別の目的のために伝送する少なくとも１つのパラメータとのリンクを介して前記プリコーディング粒度値を黙示的に信号伝達することと
のうちの少なくとも１つを前記アクセスノードが行うように構成されている、
アクセスノード。
【請求項９】
前記プリコーディング粒度値が前記ＤＣＩにおいて動的に信号伝達される場合、前記ＤＣＩにおける少なくとも１ビットの第１の値は、第１のプリコーディング粒度値を示し、前記ＤＣＩにおける前記少なくとも１ビットの第２の値は、第２のプリコーディング粒度値を示す、請求項８に記載のアクセスノード。
【請求項１０】
前記プリコーディング粒度値が上層信号伝達を介して半静的に信号伝達される場合、前記上層信号伝達は、
無線リソース制御信号伝達と、
媒体アクセス制御（ＭＡＣ）制御要素と
のうちの少なくとも１つである、請求項８に記載のアクセスノード。
【請求項１１】
黙示的信号伝達が使用される場合、前記アクセスノードが別の目的のために伝送する少なくとも１つのパラメータは、
フィードバックモードと、
伝送モードと、
伝送ランクと、
リソース配分サイズと、
周期的冗長検査（ＣＲＣ）のスクランブリングステータスと、
前記リソース配分サイズのパリティと
のうちの少なくとも１つである、請求項８に記載のアクセスノード。
【請求項１２】
前記パラメータは、前記伝送モードであり、
前記伝送モードが閉ループプリコーディングである場合、前記アクセスノードは、複数の異なるプリコーディング粒度値を信号伝達し、
前記伝送モードが開ループプリコーディングである場合、前記アクセスノードは、１リソースブロックのプリコーディング粒度値を信号伝達する、
請求項１１に記載のアクセスノード。
【請求項１３】
前記パラメータは、前記伝送モードであり、
前記アクセスノードが、ユーザ機器（ＵＥ）が閾値を下回る速度で移動していると決定する場合、前記アクセスノードは、複数の異なるプリコーディング粒度値を前記ＵＥに信号伝達して、閉ループプリコーディング伝送モードを使用し、
前記アクセスノードが、前記ＵＥが前記閾値を上回る速度で移動していると決定する場合、前記アクセスノードは、１リソースブロックまたは固定数リソースブロックのプリコーディング粒度値を前記ＵＥに信号伝達して、開ループプリコーディング伝送モードを使用する、
請求項１１に記載のアクセスノード。
【請求項１４】
前記パラメータは、前記伝送ランクであり、
前記伝送ランクが閾値を下回る場合、プリコーディング粒度は有効にされず、
前記伝送ランクが閾値を上回る場合、プリコーディング粒度は、所定のものおよび明示的に信号伝達されたもののうちの少なくとも１つである値によって有効にされる、
請求項１１に記載のアクセスノード。
【請求項１５】
ユーザ機器（ＵＥ）であって、
前記ＵＥは、プロセッサを含み、前記プロセッサは、
ダウンリンク制御情報（ＤＣＩ）におけるプリコーディング粒度値の動的信号伝達と、
上層信号伝達を介する前記プリコーディング粒度値の半静的信号伝達と、
別の目的のために伝送された少なくとも１つのパラメータとのリンクを介する前記プリコーディング粒度値の黙示的信号伝達と
のうちの少なくとも１つを前記ＵＥが受信するように構成されている、ＵＥ。
【請求項１６】
前記プリコーディング粒度値が前記ＤＣＩにおいて動的に信号伝達される場合、前記ＤＣＩにおける少なくとも１ビットの第１の値は、第１のプリコーディング粒度値を示し、前記ＤＣＩにおける前記少なくとも１ビットの第２の値は、第２のプリコーディング粒度値を示す、請求項１５に記載のＵＥ。
【請求項１７】
前記プリコーディング粒度値が上層信号伝達を介して半静的に信号伝達される場合、前記上層信号伝達は、
無線リソース制御信号伝達と、
媒体アクセス制御（ＭＡＣ）制御要素と
のうちの少なくとも１つである、請求項１５に記載のＵＥ。
【請求項１８】
黙示的信号伝達が使用される場合、前記別の目的のために伝送された少なくとも１つのパラメータは、
フィードバックモードと、
伝送モードと、
伝送ランクと、
リソース配分サイズと、
周期的冗長検査（ＣＲＣ）のスクランブリングステータスと、
前記リソース配分サイズのパリティと
のうちの少なくとも１つである、請求項１５に記載のＵＥ。
【請求項１９】
前記パラメータは、前記伝送モードであり、
前記伝送モードが閉ループプリコーディングである場合、前記ＵＥは、複数の異なるプリコーディング粒度値を受信し、
前記伝送モードが開ループプリコーディングである場合、前記ＵＥは、１リソースブロックのプリコーディング粒度値を受信する、
請求項１８に記載のＵＥ。
【請求項２０】
前記パラメータは、前記伝送モードであり、
前記ＵＥが閾値を下回る速度で移動していると決定される場合、前記ＵＥは、複数の異なるプリコーディング粒度値を受信して、閉ループプリコーディング伝送モードを使用し、
前記ＵＥが閾値を上回る速度で移動していると決定される場合、前記ＵＥは、１リソースブロックまたは固定数リソースブロックのプリコーディング粒度値を受信して、開ループプリコーディング伝送モードを使用する、
請求項１８に記載のＵＥ。
【請求項２１】
前記パラメータは、前記伝送ランクであり、
前記伝送ランクが閾値を下回る場合、プリコーディング粒度は有効にされず、
前記伝送ランクが閾値を上回る場合、プリコーディング粒度は、所定のものおよび明示的に信号伝達されたもののうちの少なくとも１つである値によって有効にされる、
請求項１８に記載のＵＥ。
【請求項２２】
前記ＵＥが、リソースブロック群のサイズと異なるプリコーディング粒度値であって、前記リソースブロック群は、前記プリコーディング粒度値が適用される少なくとも１リソースブロックを含む、プリコーディング粒度値を受信する場合、
前記プリコーディング粒度値は、前記リソースブロック群内の可能な限り多くのリソースブロックに適用され、前記リソース群内の任意の残りのリソースブロックは、前記リソースブロック群内の任意の他のリソースブロックに適用された任意のプリコーディングベクトルと異なるプリコーディングベクトルを想定する、請求項１５に記載のＵＥ。
【請求項２３】
前記ＵＥが、リソースブロック群のサイズと異なるプリコーディング粒度値であって、前記リソースブロック群は、前記プリコーディング粒度値が適用される少なくとも１リソースブロックを含む、プリコーディング粒度値を受信する場合、
前記プリコーディング粒度値は、前記リソースブロック群内の可能な限り多くのリソースブロックに適用され、前記リソース群内の任意の残りのリソースブロックは、隣接するリソースブロックのプリコーディングベクトルと同一のプリコーディングベクトルを想定する、請求項１５に記載のＵＥ。
【請求項２４】
プリコーディング粒度は、リソースブロック群ベースで適用される、請求項１５に記載のＵＥ。
【請求項２５】
タイプ０リソース配分が使用される場合、プリコーディング粒度は、リソースブロック群ベースで適用され、タイプ０以外のリソース配分が使用される場合、プリコーディング粒度は、リソースブロックベースで適用される、請求項１５に記載のＵＥ。
【発明の詳細な説明】
【背景技術】
【０００１】
本明細書で使用される場合、用語「ユーザ機器」および「ＵＥ」は、ある場合には、携帯電話、携帯情報端末、ハンドヘルドまたはラップトップコンピュータ、および電気通信能力を有する同様のデバイスまたは他のユーザ機器（「ＵＥ」）等のモバイルデバイスを指す場合がある。そのようなＵＥは、ＵＥと、加入者識別モジュール（ＳＩＭ）アプリケーション、汎用加入者識別モジュール（ＵＳＩＭ）アプリケーション、またはリムーバブルユーザ識別モジュール（Ｒ−ＵＩＭ）アプリケーションを含む、汎用集積回路カード（ＵＩＣＣ）等であるが、それに限定されない、その関連付けられたリムーバブルメモリモジュールとから成る場合がある。代替として、そのようなＵＥは、そのようなモジュールを伴わずに、デバイス自体から成る場合がある。他の場合には、用語「ＵＥ」は、デスクトップコンピュータ、セットトップボックス、またはネットワーク器具等の同様の能力を有するが、可搬性ではないデバイスを指す場合がある。用語「ＵＥ」はまた、ユーザに対する通信セッションを終端することができる、任意のハードウェアまたはソフトウェア構成要素を指すことができる。また、用語「ユーザ機器」、「ＵＥ」、「ユーザエージェント」、「ＵＡ」、「ユーザデバイス」、および「ユーザノード」は、本明細書では、同義的に使用される場合がある。
【０００２】
電気通信技術の発展に伴って、以前には可能ではなかったサービスを提供することができる、より高度なネットワークアクセス機器が導入されてきた。本ネットワークアクセス機器は、従来の無線電気通信システムにおける相当機器の改良である、システムおよびデバイスを含む場合がある。そのような高度または次世代機器は、ロング・ターム・エボリューション（ＬＴＥ）等の進化型無線通信規格内に含まれ得る。例えば、ＬＴＥシステムは、従来の基地局ではなく、進化型汎用地上無線アクセスネットワーク（Ｅ−ＵＴＲＡＮ）ノードＢ（ｅＮＢ）、無線アクセスポイント、または類似構成要素を含む場合がある。本明細書で使用される場合、用語「アクセスノード」は、ＵＥまたは中継ノードに、電気通信システム内の他の構成要素にアクセス可能にする、受信および伝送有効範囲の地理的面積を生成する、従来の基地局、無線アクセスポイント、またはＬＴＥ  ｅＮＢ等の無線ネットワークの任意の構成要素を指すであろう。アクセスノードは、複数のハードウェアおよびソフトウェアを備え得る。ＬＴＥは、第３世代パートナーシッププロジェクト（３ＧＰＰ）リリース８（Ｒｅｌ−８またはＲ８）およびリリース９（Ｒｅｌ−９またはＲ９）に対応し得る一方、ＬＴＥアドバンスド（ＬＴＥ−Ａ）は、リリース１０（Ｒｅｌ−１０またはＲ１０）および可能性としてリリース１０以上のリリースに対応し得る。
【発明の概要】
【課題を解決するための手段】
【０００３】
初めに、１つ以上の本開示の実施形態の例証的実装が、以下に提供されるが、本開示されるシステムおよび／または方法は、現在既知または現存するかに関わらず、任意の数の技法を使用して、実装され得ることを理解されたい。本開示は、本明細書に例証および説明される、例示的設計および実装を含む、以下に例証される、例証的実装、図面、および技法にいかようにも限定されるべきではなく、添付の請求項の範囲内、および均等物のその全範囲内において修正され得る。
【０００４】
本開示の実施形態は、専用基準信号伝達が、データ復調のために使用される場合のＬＴＥおよびＬＴＥ−Ａダウンリンク伝送のための信号伝達プリコーディング粒度のいくつかの方法を提供する。プリコーディング粒度に関する情報によって、ＵＥは、正確なチャネル予測を行い、その全体的性能を改善することが可能となる。実施形態は、動的信号伝達、半静的信号伝達、物理層信号伝達、上層信号伝達、明示的信号伝達、黙示的信号伝達、またはこれらのタイプの信号伝達の組み合わせを含む、プリコーディング粒度の信号伝達のための広範囲な方法を網羅する。
【０００５】
本開示をより完全に理解するために、添付の図面および発明を実施するための形態と併せて理解される以下の簡単な説明を参照し、類似参照数字は、類似部品を表す。
【図面の簡単な説明】
【０００６】
【図１】図１は、リリース８、リリース９以上のための共通基準信号（ＲＳ）および専用基準信号配分の例の略図である。
【図２】図２は、共通基準信号および専用基準信号伝送チェーンの略図である。
【図３】図３は、同一プリコーディングまたはビーム形成（ＢＦ）ベクトルを使用する、リソースブロックの略図である。
【図４】図４は、本開示のある実施形態による、プリコーディング粒度のための２段階上層信号の略図である。
【図５】図５は、本開示のある実施形態による、開ループおよび閉ループプリコーディングと、プリコーディング粒度へのその連係の略図である。
【図６】図６は、本開示のある実施形態による、開ループプリコーディングの明示的構成を伴わない、プリコーディング粒度構成の略図である。
【図７】図７は、本開示の代替実施形態による、第１のプリコーディング粒度のための例証である。
【図８】図８は、本開示の代替実施形態による、第２のプリコーディング粒度のための例証である。
【図９】図９は、本開示の代替実施形態による、第３のプリコーディング粒度のための例証である。
【図１０】図１０は、本開示のある実施形態による、プリコーディングユニットの異なるマッピングの例証である。
【図１１】図１１は、本開示のある実施形態による、リソースブロック群に基づく、プリコーディング粒度の例証である。
【図１２】図１２は、本開示の実施形態に関連するテーブルを含む。
【図１３】図１３は、プロセッサおよび本開示のいくつかの実施形態を実装するために好適な関連構成要素を例証する。
【発明を実施するための形態】
【０００７】
３ＧＰＰ  ＬＴＥ（Ｒｅｌ−８および９）およびＬＴＥ−Ａ（Ｒｅｌ−１０）では、いくつかの伝送モードが、伝送ダイバーシチ、開ループおよび閉ループ空間多重化、二重層ビーム形成（ＢＦ）伝送、およびその他を含む、ダウンリンク共有チャネル（ＰＤＳＣＨ）伝送のために規定される。ＵＥが、ＰＤＳＣＨを復調するための基準信号は、共通基準信号（ＣＲＳまたはセル特定基準信号）および／または専用基準信号（ＤＲＳまたはＵＥ特定基準信号）を含み得る。ＬＴＥおよびＬＴＥ−Ａにおいて規定されるいくつかの伝送モードは、単層ビーム形成伝送をサポートする、Ｒｅｌ−８における伝送モード７、二重層ビーム形成伝送をサポートする、Ｒｅｌ−９における伝送モード８、およびＲｅｌ−１０において規定される新しい伝送モードを含む、ＰＤＳＣＨ復調のためのＤＲＳを使用する。
【０００８】
図１は、ＬＴＥＲｅｌ−８およびＲｅｌ−９のためのＣＲＳならびにＤＲＳ配分の実施例を示しており、垂直にハッチされた副搬送波は、ＣＲＳを伝送するために使用され、水平にハッチされた副搬送波は、ＤＲＳを伝送するために使用される。図から観察され得るように、ＣＲＳは、全リソースブロック（ＲＢ）（実施例として、図に示されるようなＲＢ＃１  １１０、ＲＢ＃２  １２０、およびＲＢ＃３  １３０）上で伝送される一方、ＤＲＳは、あるＲＢ（実施例では、ＲＢ＃２  １２０およびＲＢ＃３  １３０）上でのみ伝送され、特定のＵＥに割り当てられる。
【０００９】
データ復調のためにＣＲＳを使用する利点は、ＣＲＳが、全ＲＢ上および全サブフレーム内で伝送されることである。これによって、ＵＥは、チャネル予測において、内挿／外挿を行い、それによって、特に、低移動性および比較的フラットなチャネルを伴う、ＵＥの場合、チャネル予測の性能を改善することが可能となる。図１を実施例として使用すると、ＣＲＳに基づくチャネル予測は、いくつかのＲＢ、例えば、ＲＢ＃１  １１０、ＲＢ＃２  １２０、およびＲＢ＃３  １３０にわたって、内挿／外挿を使用して、行われ得る。しかしながら、図２に示されるように、ＣＲＳは、ＵＥが、データによって経験される相当チャネルを予測するためのデータ（ＰＤＳＣＨ）として先行されないため、アクセスノードは、ＵＥに、アクセスノードがＵＥのために使用するプリコーディングベクトルまたはプリコーディングマトリクスを通知する。本情報をＵＥに提供することは、ダウンリンク制御信号伝達オーバーヘッドを増加させ得る。さらに、従来のビーム形成技法が、アクセスノードで使用される場合、ＵＥへのアクセスノードで使用されるビーム形成重みの信号伝達は、問題となり得、ＵＥデコーディングの性能に影響を及ぼし得る。明確にするために、以下の議論では、用語「プリコーディングベクトル」は、以下、プリコーディングベクトルまたはビーム形成重みと称され得る。また、用語「プリコーディングベクトル」は、単一層を含意し得、用語「プリコーディングマトリクス」が、より適切となり得る状況が存在し得る。以下、用語「プリコーディングベクトル」は、プリコーディングベクトルまたはプリコーディングマトリクスのいずれかを指し得る。
【００１０】
一方、図２に示されるように、ＤＲＳの使用は、基準信号が、特定のＵＥへのデータ（ＰＤＳＣＨ）として、同一プリコーディングベクトルで適用されることを意味し、そのようなＤＲＳは、そのＵＥに配分されたＲＢ内でのみ伝送される。これは、そのような情報は、既に、ＤＲＳ伝送によって、伝達されているであろうため、ＣＲＳと比較して、少ないオーバーヘッドと、プリコーディングベクトル等のいくつかの制御信号伝達および電力配分の節約につながる。しかしながら、ＤＲＳの使用に関して生じる問題として、ＵＥでのチャネル予測の間のチャネル内挿／外挿が懸念される。ＵＥは、最初に、それらのＲＢ内においてのみ、同一プリコーディングベクトルでチャネル内挿／外挿を適用することができるように、どのＲＢに、同一プリコーディングベクトルが適用されているかを認識する必要がある。加えて、ＤＲＳは、特定のＵＥに割り当てられていない、ＲＢ内では伝送されないため、チャネル内挿／外挿は、ＵＥに配分されたＲＢの境界において、またはそれをまたいで行われることはできず、したがって、いくつかの性能劣化が、もたらされ得る。
【００１１】
図１内の例証を実施例として挙げると、ＲＢ＃２  １２０およびＲＢ＃３  １３０のみ、復調基準信号（ＤＭ−ＲＳ）としてＤＲＳを使用する伝送のために、特定のＵＥに配分される場合、ＤＲＳは、図に示されるように、ＲＢ＃２  １２０およびＲＢ＃３  １３０においてのみ伝送されるであろう。これによって、ＵＥは、ＲＢ＃２  １２０およびＲＢ＃３  １３０にわたって、チャネル内挿／外挿を行い、チャネル予測性能を改善することが可能となり得る。そのような制限は、ＲＢ＃２  １２０およびＲＢ＃３  １３０のために使用されるプリコーディングベクトルが、同一ではない場合、またはＵＥが、ＲＢ＃２  １２０およびＲＢ＃３  １３０のために使用されるプリコーディングベクトルが、同一であることを認知しておらず、したがって、異なっていると想定する場合、さらに限定され得る。加えて、ＲＢ＃２  １２０およびＲＢ＃３  １３０のみ、特定のＵＥに配分される場合でも、ＵＥは、ＲＢ＃１  １１０、ＲＢ＃２  １２０、およびＲＢ＃３  １３０内のＣＲＳを使用して、ＣＲＳベースのチャネル内挿／外挿を行い得る。これは、チャネル予測性能、特に、ＲＢ＃２  １２０に隣接するＲＢ＃１  １１０内のそれらの副搬送波等、リソース配分の境界におけるそれらの副搬送波に有益となるであろう。しかしながら、そのようなプロシージャは、ＤＲＳがＵＥに配分されていないＲＢ＃１  １１０において伝送されないことが図１から分かるように、チャネル予測が、ＤＲＳに基づく場合、利用されることができないであろう。
【００１２】
要するに、ＤＲＳの使用は、低基準信号オーバーヘッドならびにプリコーディングのダウンリンク制御信号伝達および電力配分の節約を含む、ＣＲＳの使用に勝るいくつかの利点を有する。しかしながら、ＤＲＳの場合、どのＲＢに同一プリコーディングが適用されているかを認識する必要がある。なぜなら、ＵＥは、チャネル予測の間、これらのＲＢにわたり、チャネル内挿／外挿を効率的に行うことが可能になるからである。これは、図３に例証されており、ＤＲＳを使用するＵＥのための６つのＲＢ３１０の配分を示しており、そのうちの３つ（３１０ａ、３１０ｂ、および３１０ｃ）は、あるプリコーディングベクトルを使用し、他の３つは（３１０ｄ、３１０ｅ、および３１０ｆ）は、別のプリコーディングベクトルを使用する。ＵＥが、３つのＲＢ３１０にわたって、同一プリコーディングベクトルが使用されていることを認識する場合、正確なプリコーディングベクトルを認識する必要なく、それらの３つのＲＢ３１０にわたって、チャネル内挿／外挿を行い得る。
【００１３】
一方、ＵＥが、どのＲＢに、同一プリコーディングベクトルが、アクセスノードによって使用されているかを認識していない場合、プリコーディングベクトルは、１ＲＢ内で変動しないと想定するに過ぎず、したがって、同一ＲＢ内にのみチャネル内挿／外挿を適用し得る。これは、特に、低または中程度の移動性および比較的に平坦または周波数低選択的であるチャネルを伴う、ＵＥの場合、チャネル予測の性能を低下させ得る。
【００１４】
前述の議論から、ＤＲＳが、ＤＭＲＳとして使用される場合、アクセスノードが、精密なプリコーディングベクトルを信号伝達する必要はないが、ＵＥは、プリコーディングベクトルが変動しないＲＢの範囲を認識する必要があり得ることが、分かるであろう。同一プリコーディングベクトルが適用される連続したＲＢの数は、プリコーディング粒度値と称することができる。本値は、ＵＥが、ＤＲＳが使用される場合、チャネル内挿／外挿を行うことができるように、ＵＥに提供される必要があり得る。しかしながら、伝送モード７（Ｒｅｌ−８）および伝送モード８（Ｒｅｌ−９）のための現在の設計では、プリコーディング粒度値をＵＥに提供するための機構が整っていない。ＵＥは、プリコーディングベクトルが、１ＲＢ内で変動しないと単純に想定する場合があり、したがって、１ＲＢ内でのみ、チャネル内挿／外挿を適用する場合がある。これは、いくつかのＲＢにわたるチャネル内挿／外挿が、特に、チャネルが、比較的に平坦である場合、チャネル予測を改善するであろうため、チャネル予測性能の劣化につながり得る。ＬＴＥ−Ａ（Ｒｅｌ−１０）の場合、プリコーディング粒度の信号伝達に関して、いくつかの解決策が、提案されている。いくつかの提案は、２ＲＢの固定プリコーディング粒度値の使用で十分であり得ると示唆する。他の提案は、２以上のプリコーディング粒度値が、高ランク伝送に対してのみ、適用可能であり得ることを示唆する。
【００１５】
種々の実施形態では、ＤＲＳが、ＤＭ−ＲＳとして使用される場合、プリコーディング粒度値は、種々の方法において、ＵＥに信号伝達される。４つの解決策の実施形態が、提供されており、そのいずれも、個々に、または他の解決策のいずれかと組み合わせて、使用され得る。
【００１６】
第１の解決策では、プリコーディング粒度の値は、ダウンリンク制御チャネルを通して、ＵＥに動的に信号伝達される。これを達成するために、例えば、１または２ビットが、ダウンリンク制御情報（ＤＣＩ）に追加され、異なるプリコーディング粒度選択肢を示し得る。図１２における表１および表２は、そのような信号伝達のうちのいくつかの実施例を示す。表１の実施例では、１ビットが、プリコーディング粒度信号伝達のために使用される。ビットが、第１の値を有する場合、１リソースブロックのプリコーディング粒度が、ＵＥに信号伝達され、ビットが、第２の値を有する場合、６リソースブロックのプリコーディング粒度が、ＵＥに信号伝達される。他の実施形態では、ビットの値は、他の数のリソースブロックのプリコーディング粒度を示し得る。表２では、２ビットが、プリコーディング粒度信号伝達のために使用され、したがって、プリコーディング粒度の４つの異なる値が、信号伝達され得る。本実施例では、２ビットが、第１の値を有する場合、１リソースブロックのプリコーディング粒度が、ＵＥに信号伝達され、２ビットが、第２の値を有する場合、２リソースブロックのプリコーディング粒度が、ＵＥに信号伝達され、２ビットが、第３の値を有する場合、６リソースブロックのプリコーディング粒度が、ＵＥに信号伝達され、２ビットが、第４の値を有する場合、全スケジュールされたリソースブロックは、同一プリコーディングベクトルを有すると想定される。他の実施形態では、２ビットの値は、他の数のリソースブロックのプリコーディング粒度を示し得る。
【００１７】
プリコーディング粒度値に加え、プリコーディングユニットの開始点もまた、ＵＥに信号伝達される場合がある。信号伝達は、暗示的であり得、例えば、開始点は、リソース配分の開始ＲＢであり得る（周波数の下端からカウントする）。代替として、信号伝達は、明示的であり得、例えば、開始点は、規定されたＲＢであり、その指数がＵＥに動的または半静的に信号伝達され得る。
【００１８】
本解決策の変形例では、プリコーディング粒度が、常時必要とされない場合、１ビット信号伝達が、ＤＣＩにおいて使用され、図１２における表３に示されるように、プリコーディング粒度を有効または無効にし得る。プリコーディング粒度が、無効にされる場合、プリコーディング粒度の指標は、使用されなくてもよく、ＵＥは、プリコーディング粒度値が、１ＲＢであると想定し得る。プリコーディング粒度が、有効にされる場合、デフォルトプリコーディング粒度値が、ＵＥによって想定され得る。本デフォルト値は、上層信号伝達によって、半静的に構成され得るか、またはＵＥプリコーディングマトリクス指数（ＰＭＩ）フィードバック粒度等の他のパラメータをとり得る。
【００１９】
第２の解決策では、上層信号伝達を使用して、プリコーディング粒度値を半静的に信号伝達する。上層信号伝達は、無線リソース制御（ＲＲＣ）信号伝達、媒体アクセス制御（ＭＡＣ）制御要素の伝送、または類似信号伝達である場合がある。プリコーディング粒度のために、半静的上層信号伝達を使用する利点は、ＤＣＳにおける動的信号伝達より低い信号伝達オーバーヘッドを使用することである。しかしながら、そのような目的のために、上層信号伝達を使用する欠点は、チャネル変更に対するその遅い反応と、プリコーディング粒度値を更新する際の遅いペースである。
【００２０】
上層信号伝達を使用して、プリコーディング粒度を信号伝達するために、動的信号伝達の場合と同様に、１または２ビットが、使用され得る。１ビット信号伝達の場合、信号伝達ビットは、例えば、表１に示されるように、解釈され得る。代替として、信号伝達ビットは、例えば、表３に示されるように、プリコーディング粒度に対する有効化ビットとして、見なされ得る。そのような場合、そのような信号伝達が、アクセスノードによって、送信されない場合、ＵＥは、プリコーディング粒度がなく、同一プリコーディングベクトルが、同一ＲＢ内に適用されると想定し得る。単一ビットが、ＵＥに送信される場合、ＵＥは、プリコーディング粒度関数が、有効にされていると想定することができ、２ＲＢまたは６ＲＢ等の所定の値を伴う、プリコーディング粒度を想定することができる。
【００２１】
代替として、有効化後、プリコーディング粒度値は、アップリンクフィードバック粒度等の他のパラメータにリンクされ得る。例えば、プリコーディング粒度が、有効にされる一方、プリコーディングフィードバック粒度サブバンドサイズが、４ＲＢである場合、ＵＥによって想定されるダウンリンクプリコーディング粒度値もまた、４ＲＢであり得る。
【００２２】
２ビット上層信号伝達が、プリコーディング粒度のために使用される場合、２ビットは、一緒に、１つの上層信号として使用され得、ビットの意味は、実施例として表２に示されるような動的信号伝達の場合と同様に解釈され得る。代替として、２ビットは、別個に使用され得、一方は、デフォルト値を伴うプリコーディング粒度を有効にし、他方は、デフォルト値の精緻化を示す。例えば、プリコーディング粒度有効化ビットが送信される場合、ＵＥは、プリコーディング粒度のデフォルト値が、６ＲＢであると想定し得る。必要に応じて、アクセスノードは、プリコーディング粒度精緻化信号伝達も送信し得る。精緻化信号伝達が、「０」の値をとる場合、例えば、２ＲＢプリコーディング粒度が、示される場合がある一方、「１」の値をとる場合、例えば、４ＲＢプリコーディング粒度が、示される場合がある。そのような精緻化信号伝達は、第１の信号伝達によって有効にされたデフォルト値に関連するデルタ値としても使用され得る。例えば、プリコーディング粒度有効化信号によってトリガされるプリコーディング粒度のデフォルト値が、４ＲＢである場合、「０」の精緻化信号は、プリコーディング粒度を４−２＝２ＲＢに変更し得る一方、「１」の精緻化信号は、プリコーディング粒度を４＋２＝６ＲＢに変更し得る。デルタ値は、システム帯域幅に応じて、事前に決定され得、精緻化信号は、デルタ値を適用する方向（＋または−）のみ示す場合がある。
【００２３】
図４は、アクセスノード４１０とＵＥ４２０との間のそのような２段階信号伝達のプロシージャの実施形態を例証する。イベント４３０では、アクセスノード４１０は、プリコーディング粒度有効化信号を送信する場合がある。イベント４４０では、アクセスノード４１０が、プリコーディング粒度有効化信号を送信しない場合、ＵＥ４２０は、プリコーディング粒度を想定しない、または、相当に、１リソースブロックのプリコーディング粒度値を想定する。イベント４５０では、アクセスノード４１０が、プリコーディング粒度有効化信号を送信する場合、ＵＥ４２０は、プリコーディング粒度が、有効にされ、デフォルト値を有すると想定する。イベント４６０では、アクセスノード４１０が、プリコーディング粒度有効化信号を送信した場合、アクセスノード４１０は、プリコーディング粒度精緻化信号も送信する場合ある。そのような場合、ＵＥ４２０は、イベント４７０において、精緻化信号内で受信された値を使用して、デフォルト値を調節する場合がある。
【００２４】
代替として、１ビット上層信号伝達は、３つの異なる種類のメッセージをＵＥに伝達し得る。ＵＥが、プリコーディング粒度有効化信号を受信しない場合、プリコーディング粒度を想定しないか、または１リソースブロックのプリコーディング粒度値を想定し得る。ＵＥが、「０」の値を伴う、プリコーディング粒度有効化信号を受信する場合、プリコーディング粒度が、有効にされ、プリコーディング粒度が、値＃１をとると想定し得る。ＵＥが、「１」の値を伴う、プリコーディング粒度有効化信号を受信する場合、プリコーディング粒度が、有効にされ、プリコーディング粒度が、値＃２をとると想定し得る。
【００２５】
本代替は、図１２における表４の列１２１０内に例証されており、プリコーディング粒度有効化信号が送信されない場合、ＵＥは、１リソースブロックのプリコーディング粒度を想定することが分かる。プリコーディング粒度有効化信号が、「０」の値とともに送信される場合、ＵＥは、ＰＧ１のプリコーディング粒度を想定する。プリコーディング粒度有効化信号が、「１」の値とともに送信される場合、ＵＥは、ＰＧ２のプリコーディング粒度を想定する。
【００２６】
本代替の変形例では、プリコーディング粒度精緻化信号は、それによって、プリコーディング粒度を調節する、相対値として、プリコーディング粒度有効化信号と共に使用され得る。そのような使用の実施例は、表４における列１２２０および１２３０に示されており、ＰＧ１およびＰＧ２は、ＲＢのユニットにおけるプリコーディング粒度値＃１および＃２であり、例えば、Δは、プリコーディング粒度精緻化のための相対値である。列１２２０では、プリコーディング粒度有効化信号およびプリコーディング精緻化有効化信号の両方とも、「０」の値とともに送信される場合、ＵＥは、ＰＧ１−Δのプリコーディング粒度を想定する。プリコーディング粒度有効化信号が、「１」の値とともに送信され、プリコーディング精緻化有効化信号が、「０」の値とともに送信される場合、ＵＥは、ＰＧ２−Δのプリコーディング粒度を想定する。列１２３０では、プリコーディング粒度有効化信号が、「０」の値とともに送信され、プリコーディング精緻化有効化信号が、「１」の値とともに送信される場合、ＵＥは、ＰＧ１＋Δのプリコーディング粒度を想定する。プリコーディング粒度有効化信号およびプリコーディング精緻化有効化信号が両方とも、「１」の値とともに送信される場合、ＵＥは、ＰＧ２＋Δのプリコーディング粒度を想定する。
【００２７】
前述のように、Ｒｅｌ−８およびＲｅｌ−９の場合、プリコーディング粒度は、両方とも、ＤＭ−ＲＳを使用する伝送モード７および８に対して規定されていない。その性能を改善するために、プリコーディング粒度が、導入され得る。しかしながら、これらの２つの仕様のリリースは、あらかた完成しているため、それらに対する変更は、歓迎されないことがある。上層信号伝達の使用は、前述のように、仕様に対して限定された影響しか及ぼさないそのような特徴を導入することによって、これに対する実行可能な解決策を提供するであろうと考えられる。
【００２８】
第３の解決策では、動的信号伝達および上層信号伝達が、一緒に、プリコーディング粒度のために使用される。例えば、上層信号伝達は、半静的に更新され得る所定のプリコーディング粒度値を伝達するために使用され得る一方、動的信号伝達は、プリコーディング粒度を有効または無効にするために使用され得る。言い換えると、例えば、動的信号伝達は、表１または２の左側の列におけるビットまたは複数ビットの現在の値を規定するために使用される場合がある。上層信号伝達は、左側の値が参照する、表１または２の右側の列内の値を周期的に更新するために使用される場合がある。
【００２９】
前述の３つの解決策は、動的信号伝達、上層信号伝達のいずれか、または両方を伴う、明示的信号伝達を使用する。すなわち、信号伝達ビットは、プリコーディング粒度情報を伝達する特定の目的のために、無線で提供される。第４の解決策では、黙示的信号伝達を使用して、プリコーディング粒度を信号伝達する。すなわち、プリコーディング粒度は、他の目的のために伝送される、１つ以上の既存のパラメータにリンクされる。６つの異なる代替が、本第４の解決策に基づいて、提供される。
【００３０】
第１の代替では、プリコーディング粒度の有効化は、フィードバックモードに黙示的にリンクされる。種々のフィードバックモードを構成することができ、ダウンリンクチャネルに関する情報は、ＵＥで測定され、アクセスノードにフィードバックされる場合がある。広帯域フィードバックが、使用される場合、サブバンドフィードバックが使用される場合、または、フィードバックが無効にされる場合がある。広帯域フィードバックの場合、帯域幅全体が測定され、１つのフィードバック値がアクセスノードに提供される。サブバンドフィードバックの場合、システム帯域幅の異なる部分が測定され、その部分の各々に対する値が、アクセスノードにフィードバックされる。
【００３１】
本第１の代替の実施形態では、フィードバックモードが構成されない場合（デフォルトとして、フィードバックを含まない）、または、広帯域フィードバックが構成される場合、プリコーディング粒度は使用されない。プリコーディング粒度が使用されない場合、ＵＥは、プリコーディング粒度値が１ＲＢであると想定し得る。サブバンドフィードバックが構成される場合、プリコーディング粒度が有効にされ、フィードバック粒度または所定の値にリンクされる。すなわち、プリコーディング粒度値は、サブバンドの幅から導出され、フィードバックサブバンド粒度と同一である場合、または、プリコーディング粒度値は、サブバンド幅に関わらず同一である場合がある。
【００３２】
第２の代替では、プリコーディング粒度の有効化は、伝送モードに黙示的にリンクされる。ある伝送モードは、閉ループプリコーディングであり、ＵＥは、アクセスノードに、ＵＥが選好するプリコーディングベクトルに関する情報をフィードバックする。ＵＥが、固定であるか、またはゆっくりと移動する場合、使用される。なぜなら、閉ループプリコーディングは、典型的には、ダウンリンクチャネルが測定され、情報がフィードバックされるためのいくらかの時間が必要であるからである。フィードバック情報は、フィードバック情報が、ゆっくりと変化していない限り、アクセスノードがそれを受信する時までに、もはや関連していない場合がある。
【００３３】
別の伝送モードは、開ループプリコーディングモードであり、ＵＥは、情報をフィードバックしないか、または、限定された情報のみフィードバックする。ＵＥが、非常に迅速に移動している場合、伝送チャネルも迅速に変化している可能性が高い。ＵＥが、選好する、プリコーディングベクトルに関する任意のフィードバックを提供することができるまでには、情報は、期限切れである場合がある。ＰＭＩのフィードバックは、典型的には、そのような場合、提供されない。
【００３４】
本第２の代替の実施形態では、伝送モード８に対して、ＤＣＩフォーマット２Ｂが使用される場合、プリコーディング粒度は、有効にされ得る。一方、セル無線ネットワーク一時識別子（Ｃ−ＲＮＴＩ）が、ＤＣＩフォーマット１Ａとともに使用される場合、伝送ダイバーシチが使用されるであろうため、プリコーディング粒度は、想定される必要はない。中または高移動性を伴うＵＥの場合、閉ループプリコーディングは、ＵＥからのプリコーディングベクトルフィードバックが、劣化している可能性があるため、良好に機能しない場合がある。この場合、開ループプリコーディングモードが、導入され、プリコーディングベクトルは、異なるＲＢにわたって循環され得る。そのような伝送モードが導入される場合、プリコーディング粒度は、図５に示されるように、それにリンクされ得る。図から、開ループプリコーディングモードが使用される場合、単一ＲＢまたは所定の固定数のＲＢのプリコーディング粒度値が、ＵＥによって想定され得るが、閉ループプリコーディングが構成される場合、異なるプリコーディング粒度が、使用され、信号伝達され得ることが分かる。
【００３５】
すなわち、図５では、ブロック５１０において、アクセスノードは、ＵＥの移動性またはＵＥの移動速度を予測するか、または、いくつかの他の測定基準を予測する。ブロック５２０では、アクセスノードは、移動性が、閾値を超えるかどうか決定する。ＵＥの移動性が、閾値を超えない場合、アクセスノードは、ブロック５３０において、閉ループプリコーディングモードに対してＵＥを構成する。ＵＥの移動性が、閾値を超える場合、アクセスノードは、ブロック５４０において、開ループプリコーディングモードに対してＵＥを構成する。
【００３６】
ある実施形態では、アクセスノードが、閉ループプリコーディングモードに対してＵＥを構成する場合、アクセスノードは、ブロック５５０において、複数の異なるプリコーディング粒度値のために、ＵＥを構成し、プリコーディング粒度値をＵＥに信号伝達する。アクセスノードが、開ループプリコーディングモードに対してＵＥを構成する場合、アクセスノードは、ブロック５６０において、例えば、１リソースブロックの固定プリコーディング粒度値によって、ＵＥを構成する。すなわち、プリコーディング粒度値は、伝送モードに黙示的にリンクされる。
【００３７】
ある実施形態では、アクセスノードが、ブロック５６０において、ＵＥを１リソースブロックのプリコーディング粒度値によって構成する場合、プリコーディング循環プロシージャが、ブロック５７０に描写されるように、使用される場合がある。すなわち、所定の組の異なるプリコーディングベクトルが、存在する場合があり、組内のプリコーディングベクトルのパターンは、アクセスノードおよびＵＥの両方に既知である場合がある。組内の各プリコーディングベクトルは、単一リソースブロックまたは固定数リソースブロックに適用される場合がある。アクセスノードおよびＵＥは、各々が、どのプリコーディングベクトルがどのリソースブロックに適用されるかが分かるように、その組を通して循環する場合がある。
【００３８】
Ｒｅｌ−８におけるように多数の伝送モードを導入することは、全伝送シナリオに対応するための望ましい方法ではないことがある。ある実施形態では、プリコーディング粒度信号伝達は、伝送モードを黙示的に示すことができる。本代替は、図６に示される。ブロック６１０では、アクセスノードは、ＵＥの移動性の予測を得る。ブロック６２０では、アクセスノードは、移動性が、閾値を超えるかどうか決定する。ＵＥの移動性が、閾値を下回る場合、閉ループプリコーディングが、ブロック６３０で使用され、アクセスノードは、図５のブロック５５０におけるプロシージャ同様に、対応するプリコーディング粒度をＵＥに信号伝達する。ＵＥの移動性が、閾値を上回る場合、アクセスノードは、ブロック６４０において、図５のブロック５６０におけるプロシージャ同様に、ＲＢにわたる循環プリコーディングによって、その伝送を構成し、単一ＲＢプリコーディング粒度をＵＥに信号伝達する。これは、開ループプリコーディングまたは閉ループプリコーディング伝送モードが使用されるかどうかを明示的に決定する必要性を回避する。
【００３９】
すなわち、図５に例証される方法では、伝送モードは、ＵＥの移動性に基づいて、決定され、次いで、プリコーディング粒度が、伝送モードにリンクされる。一方、図６に例証される方法では、プリコーディング粒度は、直接、ＵＥの移動性に基づいて、決定され、伝送モードは、所望に応じて、プリコーディング粒度から推定され得る。
【００４０】
第３の代替では、プリコーディング粒度の有効化は、伝送ランクフィードバックに黙示的にリンクされる。伝送ランクは、ＵＥが、ダウンリンク上でサポートすることができる、空間層の数と見なされ得る。この数は、ＵＥによって、アクセスノードにフィードバックされる場合、および／またはアクセスノードで決定される場合がある。アクセスノードおよびＵＥは両方とも、伝送ランクが、ある値を下回る場合、プリコーディング粒度が、有効にされず、伝送ランクが、ある値を上回る場合、プリコーディング粒度が、有効にされることを認知している場合がある。プリコーディング粒度と伝送ランクとの間の連係は、プリコーディング粒度が、一部には、Ｒｅｌ−１０では、８×８伝送等、より高いランクの伝送におけるポートあたりのＤＭ−ＲＳ密度が比較的に小さいことによって、より低いランク伝送よりもより高いランク伝送に対して、より多くの性能利点を提供することができるため、成され得る。実施例として、伝送ランクが、４より大きい場合、プリコーディング粒度は、有効にされ得る。そのような場合、アクセスノードおよびＵＥは両方とも、プリコーディング粒度が、有効にされることを認知し得、したがって、明示的信号伝達は、そのような有効化のために必要とされないであろう。使用されるプリコーディング粒度値は、ＵＥおよびアクセスノードの両方に既知の所定の値であり得る、または本値（例えば、１ビット）は、ＵＥに明示的に信号伝達され得る。
【００４１】
第４の代替では、現在のプリコーディング粒度値は、現在のリソース配分サイズから黙示的に得られる（リソースブロックの総数で測定されるように）。例えば、ＮＰＲＢが、ＵＥのリソース配分内のリソースブロックの総数であると想定される場合、プリコーディング粒度値ＮＰＧは、ある所定の最大Ｎｍａｘ以下である、ＮＰＲＢの最大因数であり得る。Ｎｍａｘのための可能な値は、例えば、３、５、または６であり得る。そのような因数が存在しない場合、ＮＰＧは、１またはある他の所定の値に等しいと想定され得る。実施例として、Ｎｍａｘ＝５およびＮＰＲＢ＝７である場合、最大未満の最大係数は、１であり、したがって、１リソースブロックのプリコーディング粒度が、使用される。Ｎｍａｘ＝５およびＮＰＲＢ＝８である場合、最大未満の最大係数は、４であり、したがって、４リソースブロックのプリコーディング粒度が、使用される。
【００４２】
第５の代替では、物理ダウンリンク制御チャネル（ＰＤＣＣＨ）上のＵＥのＣ−ＲＮＴＩ値が、２つの異なるプリコーディング粒度値のうちの一方をＵＥに黙示的に信号伝達するために使用される。ＵＥは、ＤＣＩの周期的冗長検査（ＣＲＣ）を確認することによって、ＰＤＣＣＨ上の特定のリソース配分伝送が、そのＵＥに対して意図されていることを識別する。ＣＲＣが、ＵＥのＣ−ＲＮＴＩによってスクランブルされる場合、ＵＥは、リソース配分が、それ自体に対して意図されていることを認識する。
【００４３】
ある実施形態では、ＣＲＣは、２つの異なる値のうちの一方をＵＥに提供するために、ＦＦ１６（すなわち、２進法ですべて１）によってＸＯＲマスクされるか、またはそうでない場合がある。次いで、２つの値の各々は、異なるプリコーディング粒度値に黙示的にリンクされることができる。ＤＣＩが、ＵＥのＣ−ＲＮＴＩによってスクランブルされたそのＤＣＩのＣＲＣとともに、ＰＤＣＣＨ上で受信される場合、第１のプリコーディング粒度値が、信号伝達されている。ＤＣＩが、ＵＥのＣ−ＲＮＴＩによってスクランブルされ、ＦＦ１６でＸＯＲマスクされたそのＤＣＩのＣＲＣとともに、ＰＤＣＣＨ上で受信される場合、第２のプリコーディング粒度値が、信号伝達されている。
【００４４】
第６の代替では、アクセスノードは、リソース配分サイズのパラメータを介して、２つの異なるプリコーディング粒度値のうちの一方をＵＥに黙示的に信号伝達する。リソース配分サイズは、リソース配分タイプに応じて、リソースブロックまたはリソースブロック群の総数の観点から定義することができる。ある実施形態では、プリコーディング粒度値は、リソース配分サイズのパリティに基づき、パリティは、リソース配分サイズが、偶数または奇数であるかどうか指す。例えば、リソースユニットの総数が、奇数である場合、ＵＥは、アクセスノードが、第１のプリコーディング粒度値粒度値を信号伝達していると想定する。反対に、リソースユニットの総数が、偶数である場合、ＵＥは、アクセスノードが、第２のプリコーディング粒度値を信号伝達していると想定する。
【００４５】
前述の議論は、ＵＥへのプリコーディング粒度値の信号伝達に焦点を当てている。議論は、次に、異なるタイプのリソース配分において、信号伝達されるプリコーディング粒度値の適用に進む。
【００４６】
異なるリソース配分の必要性を満たすために、ＬＴＥにおいて定義される、いくつかのタイプのリソース配分が存在する。例えば、リソース配分タイプ０では、一組の連続的ＲＢまたはリソースブロック群（ＲＢＧ）は、ユニットとして、一緒に配分され得る。ビットマップは、どのＲＢＧが配分されるか、およびＲＢＧが、連続的または非連続的に配分され得るかどうかを示すために使用される。ＲＢＧサイズ（各ＲＢＧ内の物理リソースブロックの数）が、システム帯域幅に応じて、変動するので、プリコーディング粒度値に偶発的に整合しない場合がある。例えば、ＲＢＧは、３ＲＢのサイズを有する場合があるが、プリコーディング粒度は、２の値を有する場合がある。そのような場合、同一プリコーディング粒度値は、必ずしも、ＲＢＧ内のＲＢすべてに適用されないことがある。
【００４７】
ある実施形態では、そのような不整合が、ＲＢＧサイズとプリコーディング粒度値との間で生じる場合、４つの代替のうちの１つ以上が、プリコーディング粒度をＲＢＧ内のＲＢに適用する際に使用される。最初の３つの代替は、ＲＢベースの解決策である一方、第４の代替は、ＲＢＧベースの解決策である。
【００４８】
第１の代替では、プリコーディング粒度は、各割り当てられたＲＢＧ内に適用され、ＵＥは、前述の技法のうちの１つによって、明示的または黙示的に信号伝達される、プリコーディング粒度値を想定する。その数が、プリコーディング粒度値より小さい、各ＲＢＧ内の任意の残りのＲＢは、その独自のプリコーディングベクトルを想定する。割り当てられたＲＢＧは、相互に連続的またはは非連続的に位置し得る。実施例は、図７に示されており、２つの非連続的ＲＢＧ７１０が、配分され、各ＲＢＧ７１０は、３ＲＢから成る。プリコーディング粒度値が、２ＲＢとして規定される場合、各ＲＢＧでは、最初の２ＲＢは、規定されたプリコーディング粒度に従い、同一プリコーディングベクトルを有する一方、残りの１ＲＢ７２０は、その独自のプリコーディングベクトルを想定する。
【００４９】
第２の代替では、連続的ＲＢＧ配分が想定され、プリコーディング粒度値が、割り当てられたＲＢＧの各々においてＲＢのすべてを通して、連続的に適用される。その数が、規定されたプリコーディング粒度値より小さい、終端のそれらの残りのＲＢのみ、その独自のプリコーディングベクトルを想定する。実施例は、図８に示されており、３つの連続的ＲＢＧ８１０が、配分され、各ＲＢＧ８１０は、３ＲＢから成る。プリコーディング粒度値が、２ＲＢとして規定される場合、ＵＥは、各対において同一プリコーディングベクトルを伴う、４対の連続的ＲＢを想定する。同一プリコーディングベクトルを伴う、一対のＲＢは、最初のＲＢＧ８１０ａ内の最後のＲＢと第２のＲＢＧ８１０ｂ内の最初のＲＢとの場合から分かるように、２つの異なるＲＢＧに及ぶことができる。終端の残りの１ＲＢ８２０は、その独自のプリコーディングベクトルを有すると想定される。
【００５０】
第３の代替は、第２の代替の変形例と見なされ、この場合、終端の残りのＲＢは、プリコーディング粒度に適している、直前のＲＢと同一プリコーディングを有する。実施例は、図９に示されており、３つの連続的ＲＢＧ９１０が、配分され、各ＲＢＧ９１０は、３ＲＢから成る。プリコーディング粒度値が、２ＲＢとして規定される場合、ＵＥは、３対の連続的ＲＢをとり、各対内には、同一プリコーディングベクトルが、とられる。終端における残りの１ＲＢ９２０は、先行する２ＲＢとともに含まれ、それらが有する同一プリコーディングベクトルを有すると想定される。すなわち、ＵＥは、最終の３ＲＢが、同一プリコーディングベクトルを使用すると想定することができる。
【００５１】
以下は、第２および第３の代替に基づく、異なるリソース配分および異なるプリコーディング粒度値に対応するための一般的プロシージャである。
１．いくつかの組のＲＢが、ＵＥのためのリソース配分に配分され、各組が、いくつかの連続的ＲＢを含むと想定する。各組内の連続的ＲＢの数は、ＮｋＲＢとして規定され、上付き文字ｋは、組の指数を示す。プリコーディング粒度（ＲＢ番号の観点から）は、ＮＰＧとして規定される。
２．各組ｋに対して、ＮＰＧ≧ＮｋＲＢである場合、ＵＥは、同一プリコーディングベクトルが、組内の全ＲＢのために使用されていると想定する。
３．各組ｋに対して、ＮＰＧ＜ＮｋＲＢある場合、連続的ＲＢは、２つのタイプのプリコーディングユニットに群化され得る。いくつかのユニットは、ＮＰＧのサイズを有し、いくつかは、ＮＰＧより小さい（例えば、１ＲＢ小さい）サイズを有し得る。そのようなプリコーディングユニットを構築するためのより具体的ステップは、以下のように提供される。
ａ．組ｋ内の個別のプリコーディングユニットの数は、
【００５２】
【数１】
2013530565.tif 000003
として計算され得る。
ｂ．連続的ＲＢをプリコーディングユニットに群化する場合、いくつかのユニットは、ＮＰＧと同一サイズを有する一方、いくつかは、ＮＰＧと異なるサイズを有し得る。ＲＢの組内の異なるサイズのプリコーディングユニットの相対的順序は、アクセスノードおよびＵＥの両方に既知の任意の所定のパターンに従うことができる。実施例は、最初に、ＮＰＧのサイズを伴うそれらのユニットを配列し、異なるサイズを伴ういくつかのユニットが続くものである。代替として、ＮＰＧより小さいサイズを伴うプリコーディングユニットが組の開始に配列され、ＮＰＧのサイズを伴うプリコーディングユニットが続き得る。
ｃ．ＵＥは、同一プリコーディングベクトルが、各プリコーディングユニット内の全ＲＢのために使用されると想定する。
【００５３】
図１０は、異なるプリコーディングユニットのための異なる所定のマッピングパターンの実施例を示す。図中、３つの連続的ＲＢＧ１０１０が、割り当てられる。上のプロットは、それぞれ、２ＲＢのサイズを伴う４プリコーディングユニットが、最初に生成され、残りのプリコーディングユニット１０２０が、１ＲＢのサイズを有することを示す。下のプロットは、１ＲＢを伴うプリコーディングユニット１０３０が、最初に生成され、２ＲＢのサイズを伴う４プリコーディングユニットが続くことを示す。
【００５４】
以下は、前述の一般的プロシージャのより具体的実施形態である。
１．いくつかの組のＲＢが、ＵＥのためのリソース配分内に配分され、各組内の連続的ＲＢの数が、ＮｋＲＢであり、上付き文字ｋが、組の指数を示す一方、プリコーディング粒度が、ＮＰＧとして規定されるであると想定する。
２．各組ｋに対して、ＮｋＲＢ≦ＮＰＧである場合、ＵＥは、同一プリコーディングベクトルが、組内の全ＲＢのために使用されると想定する。
３．各組ｋに対して、ＮｋＲＢ＞ＮＰＧである場合、
ａ．組ｋ内の個別のプリコーディングされたユニットの数は、
【００５５】
【数２】
2013530565.tif 000004
である。
ｂ．組ｋ内のプリコーディングユニットは、
【００５６】
【数３】
2013530565.tif 000005
または
【００５７】
【数４】
2013530565.tif 000006
のいずれかのサイズであり、ＮｋＰＧ，Ａ＝ＮｋＰＧ，ＢまたはＮｋＰＧ，Ａ＝ＮｋＰＧ，Ｂ−１である。
ｃ．最初のＮｋＢ（＝ＮｋＲＢｍｏｄＮｋＰＧ，Ａ）個のプリコーディングユニットは、サイズＮｋＰＧ，Ｂであり、残りのＮｋＡ（＝ＮｋＰＢ−ＮｋＢ）個のプリコーディングユニットは、サイズＮｋＰＧ，Ａである。
ｄ．ＵＥは、同一プリコーディングベクトルが、各プリコーディングユニット内の全ＲＢのために使用されると想定する。
【００５８】
前述のプロシージャでは、ＲＢの組内の異なるサイズのプリコーディングユニットの相対順序は、アクセスノードおよびＵＥの両方に既知の任意の所定のパターンに従うことができる。例えば、ステップ３ｃは、図１０の上部におけるように、（サイズＮｋＰＧ，Ｂの）より大きいプリコーディングユニットが、最初に来ることを記載する。しかしながら、順序付けは、図１０の下部におけるように、（サイズＮｋＰＧ，Ａの）より小さいプリコーディングユニットが、代わりに、最初に来るように逆にされ得る。
【００５９】
第４の代替では、物理リソースブロックベースで、プリコーディング粒度を定義する代わりに、プリコーディング粒度は、ＲＢＧベースで定義される。そのような場合、例えば、２のプリコーディング粒度値は、単純に、２ＲＢの代わりに、２ＲＢＧを意味する。しかしながら、そのような定義は、ＲＢＧベースである、リソース配分タイプ０にのみ好適であり得、ＲＢベースである、リソース配分タイプ１および２には良好に作用し得ないため、ある制限を有する。実施例は、図１１に示されており、２つの非連続的ＲＢＧ１１１０が、配分され、各ＲＢＧ１１１０は、３ＲＢから成る。そのような状況では、規定されたプリコーディング粒度は、ＲＢの代わりに、ＲＢＧに基づき、したがって、各ＲＢＧ内の３ＲＢは、同一プリコーディングベクトルを想定し得る。
【００６０】
本代替を促進するために、黙示的関係が、ＲＢＧ／ＲＢベースのプリコーディング粒度とリソース配分のタイプとの間に規定され得る。リソース配分タイプは、典型的には、ＤＣＩ内の１ビットフラグによって、示される。例えば、タイプ０リソース配分が使用される場合、プリコーディング粒度は、ＲＢＧベースである。そうでなければ、ＲＢベースである。より具体的にするために、タイプ０リソース配分が、ＤＣＩ内に示される場合、ＵＥは、プリコーディング粒度が、ＲＢＧベースであると想定し得る。例えば、プリコーディング粒度＝２が、信号伝達され、タイプ０リソース配分が使用される場合、ＵＥは、２つ以上の連続的ＲＢＧが配分される場合、プリコーディング粒度が、２ＲＢＧであると想定する。非連続的ＲＢＧが配分される場合、ＵＥは、プリコーディング粒度が、１ＲＢＧに制限されると想定する。前述の状況と同様に、いくつかの連続的ＲＢＧが配分される場合、ＲＢＧの最初の部分は、プリコーディング粒度割当（プリコーディング粒度値は、この場合、ＲＢＧのユニットである）に基づいて、いくつかのプリコーディングユニットを形成する可能性があり、その数が、プリコーディング粒度値より小さい、残りのＲＢＧは、次いで、その独自のプリコーディングベクトルを想定するであろう。
【００６１】
本代替の変形例では、適切なプリコーディング粒度を導出するための異なる方法は、ＤＣＩ内に示されるリーソス配分のタイプに基づいて、使用され得る。例えば、タイプ０リソース配分が、ＤＣＩ内に示された場合、ＵＥは、本明細書に説明される方法のうちの１つを使用して、プリコーディング粒度を決定する一方、タイプ１リソース配分が、示された場合、異なる方法が、タイプ２リソース配分の場合と同様に、ＵＥによって、プリコーディング粒度を得るために使用され得る。例えば、リソース配分タイプ２に対して、局在リソース配分が規定される場合、前述の方法は、プリコーディング粒度を適用するために使用され得る。しかしながら、分配されたリソース配分に対して、プリコーディング粒度を適用することが困難であり得、この場合、１ＲＢのプリコーディング粒度が想定され得る。
【００６２】
別の代替では、同一組のプリコーディング粒度が、異なるタイプのリソース配分に適用可能であり得、標準化の試みを簡略化し、信号伝達オーバーヘッドを低減し得る。
【００６３】
プリコーディング粒度のための本明細書に説明される信号伝達は、動的信号伝達、半静的信号伝達、明示的信号伝達、および黙示的信号伝達を含む、広範囲の解決策を網羅する。これは、ＵＥに、プリコーディング粒度に関する必要情報を提供し、それによって、チャネル予測を改善する必要がある場合に、ＵＥがチャネル内挿／外挿を行うことを可能にする。
【００６４】
本明細書に説明される信号伝達はまた、１ＲＢからいくつかのＲＢまで、異なるプリコーディング粒度値をサポートする。これは、異なるチャネル条件およびＵＥ移動性状況において、チャネル予測の利点の利用を可能にする。例えば、伝送チャネルが、比較的に平坦である場合、より大きなプリコーディング粒度が、アクセスノードによって使用されることが可能であり、ＵＥは、いくつかのＲＢにわたって、チャネル内挿／外挿を行い、チャネル予測性能を改善し得る。一方、チャネルが、非常に分散的であり、コヒーレント帯域幅が、小さい場合、アクセスノードは、より小さいプリコーディング粒度を使用する場合がある。比較的に高い移動性を伴うＵＥの場合、閉ループプリコーディングは、良好に作用しない場合がある。そのような状況では、ＲＢにわたるプリコーディング循環は、実践的解決策であり得、ＵＥは、プリコーディングベクトルが、異なるＲＢにわたって、変動すると想定し得る。
【００６５】
そのような信号伝達はまた、推奨としてＵＥに送信され得、ＵＥを一定の挙動に強制しない。例えば、ＲＢにわたってチャネル内部内挿をサポートしないであろう低級ＵＥは、単に、そのような信号伝達を無視し、ＲＢあたりベースのチャネル予測のみ行い得る。
【００６６】
プリコーディング粒度の信号伝達の本開示される方法は、個々に、または一緒に使用され得る。例えば、明示的および黙示的信号伝達の組み合わせは、最小オーバーヘッドを伴って、または仕様にほとんど影響を及ぼすことなく、最良の全体的性能を達成するために使用され得る。
【００６７】
前述で説明されるアクセスノード、ＵＥ、および他の構成要素は、前述で説明されるアクションに関連する命令を実行することが可能である、処理構成要素を含む場合がある。図１３は、本明細書で開示される１つ以上の実施形態を実装するために好適な処理構成要素１３１０を含む、システム１３００の実施例を例証する。プロセッサ１３１０（中央プロセッサユニットまたはＣＰＵと呼ばれてもよい）に加えて、システム１３００は、ネットワーク接続デバイス１３２０と、ランダムアクセスメモリ（ＲＡＭ）１３３０と、読取専用メモリ（ＲＯＭ）１３４０と、二次記憶装置１３５０と、入力／出力（Ｉ／Ｏ）デバイス１３６０とを含む場合がある。これらの構成要素は、バス１３７０を介して、相互に通信する場合がある。場合によっては、これらの構成要素のうちのいくつかは存在しなくてもよく、または相互と、あるいは示されていない他の構成要素との種々の組み合わせで組み合わせられてもよい。これらの構成要素は、単一の物理エンティティ内、または２つ以上の物理エンティティ内に位置する場合がある。プロセッサ１３１０によって行われるものとして本明細書で説明されるアクションは、プロセッサ１３１０のみによって、あるいは図中に示される、またはデジタル信号プロセッサ（ＤＳＰ）１３８０等の示されない１つ以上の構成要素と協働するプロセッサ１３１０によって、行われる場合がある。ＤＳＰ１３８０は、別個の構成要素として示されるが、ＤＳＰ１３８０は、プロセッサ１３１０内に組み込まれる場合がある。
【００６８】
プロセッサ１３１０は、それがネットワーク接続デバイス１３２０、ＲＡＭ１３３０、ＲＯＭ１３４０、または二次記憶装置１３５０（ハードディスク、フロッピー（登録商標）ディスク、または光ディスク等、種々のディスクベースのシステムを含む場合がある）からアクセスする場合がある、命令、コード、コンピュータプログラム、またはスクリプトを実行する。１つのプロセッサ１３１０のみが示されているが、複数のプロセッサが存在し得る。したがって、命令が、プロセッサによって実行されているように述べられ得るが、命令は、同時に、順次、あるいは別様に１つまたは複数のプロセッサによって実行され得る。プロセッサ１３１０は、１つ以上のＣＰＵチップとして実装され得る。
【００６９】
ネットワーク接続デバイス１３２０は、モデム、モデムバンク、イーサネット（登録商標）デバイス、ユニバーサルシリアルバス（ＵＳＢ）インターフェースデバイス、シリアルインターフェース、トークンリングデバイス、光ファイバ分散データインターフェース（ＦＤＤＩ）デバイス、無線ローカルエリアネットワーク（ＷＬＡＮ）デバイス、符号分割多重アクセス（ＣＤＭＡ）デバイス、グローバルシステムフォーモバイルコミュニケーションズ（ＧＳＭ（登録商標））無線送受信機デバイス等の無線送受信機デバイス、マイクロ波アクセス用の世界的相互運用性（ＷｉＭＡＸ）デバイス、および／またはネットワークに接続するための他の公知のデバイスの形態を成し得る。これらのネットワーク接続性デバイス１３２０によって、プロセッサ１３１０が、情報を受信する場合があるか、またはプロセッサ１３１０が情報を出力する場合がある、インターネット、あるいは１つ以上の電気無線通信ネットワークまたは他のネットワークと、プロセッサ１３１０が通信することを可能にし得る。ネットワーク接続デバイス１３２０はまた、データを無線で伝送および／または受信可能な１つ以上の送受信機構成要素１３２５を含む場合がある。
【００７０】
ＲＡＭ１３３０は、揮発性データを記憶するため、およびおそらくプロセッサ１３１０によって実行される命令を記憶するために使用される場合がある。ＲＯＭ１３４０は、典型的には二次記憶装置１３５０のメモリ能力よりも小さいメモリ能力を有する、不揮発性メモリデバイスである。ＲＯＭ１３４０は、命令、およびおそらく命令の実行中に読み出されるデータを記憶するために使用される場合がある。ＲＡＭ１３３０およびＲＯＭ１３４０の両方へのアクセスは、典型的には、二次記憶装置１３５０へのアクセスよりも速い。二次記憶装置１３５０は、典型的には、１つ以上のディスクドライブまたはテープドライブから成り、ＲＡＭ１３３０が全ての作業用データを保持するのに十分大きくない場合、データの不揮発性保存用に、またはオーバーフローデータ記憶デバイスとして使用される場合がある。二次記憶装置１３５０は、プログラムが実行用に選択される場合、ＲＡＭ１３３０へロードされるプログラムを記憶するために使用され得る。
【００７１】
Ｉ／Ｏデバイス１３６０は、液晶ディスプレイ（ＬＣＤ）、タッチスクリーンディスプレイ、キーボード、キーパッド、スイッチ、ダイヤル、マウス、トラックボール、音声認識装置、カード読取装置、紙テープ読取装置、プリンタ、ビデオモニタ、または他の周知の入出力デバイスを含み得る。また、送受信機１３２５は、ネットワーク接続デバイス１３２０の構成要素である代わりに、またはそれに加えて、Ｉ／Ｏデバイス１３６０の構成要素と見なされる場合がある。
【００７２】
ある実施形態では、プリコーディング粒度値を示す方法が、提供される。方法は、アクセスノードが、ＤＣＩ内のプリコーディング粒度値を動的に信号伝達することと、上層信号伝達を介してプリコーディング粒度値を半静的に信号伝達することと、アクセスノードが別の目的のために伝送する少なくとも１つのパラメータとのリンクを介してプリコーディング粒度値を黙示的に信号伝達することとのうちの少なくとも１つを行うことを含む。
【００７３】
別の実施形態では、無線電気通信システムにおけるアクセスノードが、提供される。アクセスノードは、アクセスノードが、ＤＣＩ内のプリコーディング粒度値を動的に信号伝達することと、上層信号伝達を介してプリコーディング粒度値を半静的に信号伝達することと、アクセスノードが別の目的のために伝送する少なくとも１つのパラメータとのリンクを介してプリコーディング粒度値を黙示的に信号伝達することとのうちの少なくとも１つを行うように構成されるプロセッサを含む。
【００７４】
別の実施形態では、ＵＥが、提供される。ＵＥは、ＵＥが、ＤＣＩ内のプリコーディング粒度値の動的信号伝達と、上層信号伝達を介するプリコーディング粒度値の半静的信号伝達と、別の目的のために伝送された少なくとも１つのパラメータとのリンクを介するプリコーディング粒度値の黙示的信号伝達とのうちの少なくとも１つを受信するように構成されている、プロセッサを含む。
【００７５】
これらの実施形態のうちのいずれかに基づいて、以下のさらなる考慮点が、適用される場合がある。プリコーディング粒度値が、ＤＣＩにおいて動的に信号伝達される場合、ＤＣＩにおける少なくとも１ビットの第１の値は、プリコーディング粒度が無効にされることを示す場合があり、ＤＣＩにおける少なくとも１ビットの第２の値は、プリコーディング粒度が、デフォルト値によって、有効にされることを示す場合がある。デフォルト値は、上層信号伝達によって半静的に構成されたものおよび別のパラメータに黙示的にリンクされたもののうちの少なくとも１つである場合がある。プリコーディング粒度値が、信号伝達される場合、アクセスノードはさらに、プリコーディングユニットの開始点を伝送する場合がある。上層信号伝達における少なくとも１ビットの第１の値は、第１のプリコーディング粒度値を示す場合があり、上層信号伝達における少なくとも１ビットの第２の値は、第２のプリコーディング粒度値を示す場合がある。上層信号伝達における少なくとも１ビットの第１の値は、プリコーディング粒度が無効にされることを示す場合があり、上層信号伝達における少なくとも１ビットの第２の値は、プリコーディング粒度が、デフォルト値によって、有効にされることを示す場合がある。デフォルト値は、上層信号伝達によって半静的に構成されるものおよび別のパラメータに黙示的にリンクされるもののうちの少なくとも１つである場合がある。上層信号伝達は、２ビットを含む場合があり、ビットのうちの一方は、プリコーディング粒度が、デフォルト値によって、有効にされることを示し、ビットの他方は、デフォルト値の変化を示す。上層信号伝達が、伝送されない場合、１リソースブロックのプリコーディング粒度値が、示される場合があり、上層信号伝達における第１のビットが、第１の値を有する場合、１リソースブロックより大きい第１のプリコーディング粒度値が、示される場合があり、上層信号伝達における第１のビットが、第２の値を有する場合、１リソースブロックより大きい第２のプリコーディング粒度値が、示される場合がある。上層信号伝達における第２のビットは、第１のプリコーディング粒度値および第２のプリコーディング粒度値のうちの少なくとも１つの変化を示す場合がある。上層信号伝達は、プリコーディング粒度値を示す場合があり、動的信号伝達は、プリコーディング粒度値が使用されるかどうかを示す場合がある。黙示的信号伝達が使用される場合、アクセスノードが別の目的のために伝送する少なくとも１つのパラメータは、フィードバックモード、伝送モード、伝送ランク、リソース配分サイズ、周期的冗長検査（ＣＲＣ）のスクランブリングステータス、およびリソース配分サイズのパリティのうちの少なくとも１つである場合がある。パラメータが、フィードバックモードであり、フィードバックモードが、構成されない場合、プリコーディング粒度は、使用されない場合があり、広帯域フィードバックが、構成される場合、プリコーディング粒度は、使用されない場合があり、サブバンドフィードバックが、構成される場合、プリコーディング粒度は、有効にされる場合があり、フィードバック粒度および所定の値のうちの少なくとも１つにリンクされる場合がある。アクセスノードが、１リソースブロックのプリコーディング粒度値を信号伝達する場合、複数の異なるプリコーディングベクトルの各々は、複数のリソースブロックのそれぞれに連続で適用される場合がある。パラメータが、リソース配分サイズである場合、プリコーディング粒度値は、所定の最大値以下である、配分されたリソースブロックの総数の最大因数である場合がある。パラメータが、ＣＲＣのスクランブリングステータスであり、ＣＲＣが、セル無線ネットワーク一時識別子（Ｃ−ＲＮＴＩ）によってスクランブルされる場合、第１のプリコーディング粒度値が、示される場合があって、ＣＲＣが、１６進数ＦＦによってＸＯＲマスクされているＣ−ＲＮＴＩによってスクランブルされる場合、第２のプリコーディング粒度値が、示される場合がある。パラメータが、リソース配分サイズのパリティであり、リソース配分サイズが、奇数である場合、第１のプリコーディング粒度値が、示される場合があり、リソース配分サイズが、偶数である場合、第２のプリコーディング粒度値が、示される場合がある。
【００７６】
いくつかの実施形態が、本開示で提供されているが、開示されたシステムおよび方法が、本開示の範囲から逸脱することなく、多くの他の特定の形態で具現化され得ることを理解されたい。本実施例は、制限的ではなく例証的と見なされ、本明細書で提供される詳細に限定されることを意図しない。例えば、種々の要素または構成要素を、別のシステムに組み入れるか、または一体化してもよく、あるいは、ある特徴を省略するか、または実装しなくてもよい。
【００７７】
また、離散したものまたは別個のものとして種々の実施形態の中で説明および例証される技術、システム、サブシステム、および方法は、本開示の範囲から逸脱することなく、他のシステム、モジュール、技法、または方法と組み合わせられ、または一体化し得る。連結もしくは直接連結または相互に通信するように例証または説明される他のアイテムは、電気的、機械的、またはその他の方法かどうかに関わらず、何らかのインターフェース、デバイス、または中間構成要素を通して、間接的に連結または通信し得る。変更、置換、および改変の他の例は、当業者により解明可能であり、本明細書で開示される精神および範囲から逸脱することなく行われ得る。
【図１】
2013530565.tif 000007
【図２】
2013530565.tif 000008
【図３】
2013530565.tif 000009
【図４】
2013530565.tif 000010
【図５】
2013530565.tif 000011
【図６】
2013530565.tif 000012
【図７】
2013530565.tif 000013
【図８】
2013530565.tif 000014
【図９】
2013530565.tif 000015
【図１０】
2013530565.tif 000016
【図１１】
2013530565.tif 000017
【図１２】
2013530565.tif 000018
【図１３】
2013530565.tif 000019
【国際調査報告】
2013530565.tif 000020
2013530565.tif 000021
2013530565.tif 000022